(57)【要約】【課題】ねじの落下を防止するドライバーを提供する。【解決手段】ドライバー１０は、係合溝７１を形成する頭部７ａを有するねじ７を回すことができる。ドライバー１０は、その本体１が柄部１１と把持部１２で構成される。又、ドライバー１０は、柄部１１を被覆する絶縁チューブ２を備える。柄部１１は、頭部７ａの係合溝７１に差し込んで係合する刃先１１ａを先端部に有する。把持部１２は、柄部１１の基端部を固定している。絶縁チューブ２は、ねじ７の頭部７ａが挿入されて、ねじ７の頭部７ａの外周を弾圧的に保持できるように、柄部１１の先端縁から突出する中空の保持部２１を有する。ドライバー１０は、ねじ７を外したときに、ねじ７を落下させることなく、ドライバー１０の先端部にねじ７を保持できる。【選択図】図１
2011194527.tif 000002
【特許請求の範囲】
【請求項１】
係合溝を形成する頭部を有するねじを回すドライバーであって、
前記頭部の係合溝に差し込んで係合する刃先を先端部に有する柄部と、
この柄部の基端部を固定する絶縁性の把持部と、
前記柄部を被覆する絶縁チューブと、を備え、
前記絶縁チューブは、前記ねじの頭部が挿入されて、当該ねじの頭部の外周を弾圧的に保持できるように、前記柄部の先端縁から突出する中空の保持部を有するドライバー。
【請求項２】
前記絶縁チューブは、弾性変形が可能な中空の管体からなる請求項１記載のドライバー。
【請求項３】
少なくとも前記絶縁チューブの保持部は透明に形成されている請求項１又は２記載のドライバー。
【請求項４】
前記絶縁チューブの保持部の内径は、前記ねじの頭部が挿入された場合に拡径可能に、当該ねじの頭部の外径より僅かに小さく形成されている請求項１から３のいずれかに記載のドライバー。
【発明の詳細な説明】
【技術分野】
【０００１】
本発明は、ドライバーに関する。特に、ねじを回して外したときに、このねじの頭部を保持可能なドライバーの構造に関する。
【背景技術】
【０００２】
例えば、発電所に設備された制御盤は、その内部に複数の端子台を取り付けている。これらの端子台には、電線の端末を結線した圧着端子が端子ねじ（多くは、十字穴付きなべ小ねじ）で固定されている。そして、制御盤に備わる計器を点検、又は、インターロック試験を実施するときには、ドライバーを用いて端子ねじを外し、圧着端子を端子台から切り離している。
【０００３】
ところで、ドライバーを用いて端子ねじを外したときに、端子ねじを不用意に落下させてしまう場合がある。このため、落下した端子ねじが制御盤内の充電部に接触して、地絡を引き起こすという不具合があった。又、落下した端子ねじが制御盤内から回収できないという不具合もあった。
【０００４】
ドライバーの先端部が磁力を有する、いわゆるマグネット付きドライバーを用いて、端子ねじをこのドライバーの先端部に磁着しておくことも考えられるが、端子ねじは、磁性をもたないステンレスねじを多く使用している。したがって、このようなステンレス製の端子ねじをドライバーの先端部に保持しておくことは、困難であるという不具合がある。
【０００５】
上述した不具合を解消するために、ねじを作業者が手で保持することなく、ドライバーと同軸状に延びる姿勢にこのねじを保持するようにした保持装置付きのドライバーが開示されている（例えば、特許文献１参照）。
【０００６】
特許文献１によるドライバーは、中間部が「く」の字状に屈曲した片持ち状の板ばねで構成された、少なくとも一対の爪金具を備えている。又、特許文献１によるドライバーは、これらの爪金具の屈曲部を対向するように配置すると共に、爪金具の基端部をドライバーの先端部近傍に固定している。そして、ドライバーの先端部をねじの頭部の溝穴に嵌合すると、一対の爪金具が一旦、開いた後にねじの首部を挟持して、ねじを保持することができる。
【先行技術文献】
【特許文献】
【０００７】
【特許文献１】実開平５−７２３７７号公報
【発明の概要】
【発明が解決しようとする課題】
【０００８】
特許文献１に類似したドライバーは、いわゆる、「ビスキャッチドライバー」として市販されている。しかしながら、前述したような制御盤の点検作業は、制御盤が通電された状態（活線状態）で実施されることが多いので、一対の爪金具及び金属製の柄が制御盤の通電部に接触して短絡を引き起こすという問題がある。
【０００９】
上述したような活線作業では、端子ねじを着脱するために、絶縁被覆されたドライバー、いわゆる絶縁ドライバーを使用して、短絡や感電を防止している。
【００１０】
ドライバーの先端部にステンレス製のなべ小ねじを保持する絶縁ドライバーが実現できれば、短絡や感電を回避でき、このねじを紛失することも防止できる。そして、以上のことが本発明の課題といってよい。
【００１１】
本発明は、このような課題に鑑みてなされたものであり、短絡や感電を回避でき、ねじの落下を防止するドライバーを提供することを目的とする。
【課題を解決するための手段】
【００１２】
本発明者は、ドライバーの柄を絶縁チューブで被覆すると共に、この絶縁チューブをドライバーの先端部から突出させて、この突出部がねじの頭部を保持することにより、この課題が解決可能なことを見出し、これに基づいて、以下のような新たなドライバーを発明するに至った。
【００１３】
（１）本発明によるドライバーは、係合溝を形成する頭部を有するねじを回すドライバーであって、前記頭部の係合溝に差し込んで係合する刃先を先端部に有する柄部と、この柄部の基端部を固定する絶縁性の把持部と、前記柄部を被覆する絶縁チューブと、を備え、前記絶縁チューブは、前記ねじの頭部が挿入されて、当該ねじの頭部の外周を弾圧的に保持できるように、前記柄部の先端縁から突出する中空の保持部を有する。
【００１４】
（２）前記絶縁チューブは、弾性変形が可能な中空の管体からなることが好ましい。
【００１５】
（３）少なくとも前記絶縁チューブの保持部は透明に形成されていることが好ましい。
【００１６】
（４）前記絶縁チューブの保持部の内径は、前記ねじの頭部が挿入された場合に拡径可能に、当該ねじの頭部の外径より僅かに小さく形成されていることが好ましい。
【発明の効果】
【００１７】
本発明によるドライバーは、制御盤などの内部でねじを外したときに、ねじを落下させることなく、ドライバーの先端部に保持できるので、ねじの落下に起因する地絡又は短絡、及び紛失を防止できる。
【００１８】
又、本発明によるドライバーは、ドライバーの先端部にねじを保持した状態を維持できるので、ねじを外した箇所に、再びねじを回して固定することも容易である。本発明によるドライバーは、ねじの再締結が多い点検作業に好適であり、点検作業が効率化される。
【図面の簡単な説明】
【００１９】
【図１】本発明の一実施形態によるドライバーの構成を示す斜視図であり、要部を断面で示している。
【図２】前記実施形態によるドライバーの構成を示す斜視図であり、図１と異なる方向からドライバーを観ている。
【図３】前記実施形態によるドライバーの構成を示す斜視図であり、ドライバーの先端部にねじを保持した状態図である。
【図４】前記実施形態によるドライバーの構成を示す斜視分解組立図である。
【図５】本発明の変形例によるドライバーの構成を示す斜視分解組立図である。
【発明を実施するための形態】
【００２０】
以下、図面を参照して本発明を実施するための形態を説明する。
［ドライバーの構成］
最初に、本発明の一実施形態によるドライバーの構成を説明する。図１は、本発明の一実施形態によるドライバーの構成を示す斜視図であり、要部を断面で示している。図２は、前記実施形態によるドライバーの構成を示す斜視図であり、図１と異なる方向からドライバーを観ている。
【００２１】
又、図３は、前記実施形態によるドライバーの構成を示す斜視図であり、ドライバーの先端部にねじを保持した状態図である。図４は、前記実施形態によるドライバーの構成を示す斜視分解組立図である。
【００２２】
図１から図４を参照すると、本発明の一実施形態によるドライバー１０は、その本体１が金属棒からなる柄部１１と絶縁性の把持部１２で構成されている。又、ドライバー１０は、柄部１１を被覆する絶縁チューブ２を備えている。
【００２３】
図１から図４を参照すると、ドライバー１０は、十字状の係合溝７１を形成する頭部７ａを有するねじ７を回すことができる。柄部１１は、頭部７ａの係合溝７１に差し込んで係合する刃先１１ａを先端部に有している。把持部１２は、柄部１１の基端部を固定している。
【００２４】
図１から図４を参照すると、例えば、発電所に設備された制御盤（図示せず）は、その内部に端子台８を取り付けている。端子台８には、電線９ｗの端末を結線した圧着端子９ｔがねじ７で固定されている。
【００２５】
図１から図４を参照すると、刃先１１ａを頭部７ａの係合溝７１に差し込んで、ドライバー１０を一方の方向に回転すると、端子台８に設けた雌ねじ部８ａとねじ７の雄ねじ部７ｂとの螺合が解除されて、ねじ７を端子台８から外すことができる。そして、圧着端子９ｔを端子台８から切り離すことができる。
【００２６】
従来のドライバーを用いて、ねじ７を外すと、ねじ７を不用意に落下させてしまう場合がある。このため、落下したねじ７が制御盤内の充電部に接触して、地絡を引き起こすという問題があった。又、落下したねじ７が制御盤内から回収できないという問題もあった。実施形態によるドライバー１０は、上記のような問題を解決している。
【００２７】
図１から図４を参照すると、絶縁チューブ２は、中空の保持部２１を有している。保持部２１は、柄部１１の先端縁から突出している。ドライバー１０の先端部をねじ７の頭部７ａに向かって進行すると、ねじ７の頭部７ａが保持部２１に挿入される。そして、保持部２１は、ねじ７の頭部７ａの外周を弾圧的に保持できる。
【００２８】
図３を参照すると、実施形態によるドライバー１０は、保持部２１にねじ７を保持した状態で、ねじ７を端子台８から外すことができる。つまり、ねじ７の落下を防止できる。又、実施形態によるドライバー１０は、保持部２１にねじ７を保持した状態で、ねじ７を雌ねじ部８ａに螺合することも容易である。
【００２９】
図１から図４を参照すると、絶縁チューブ２は、電気的に絶縁性を有すると共に、弾性変形が可能な中空の管体からなることが好ましい。絶縁チューブ２は、例えば、ＥＶＡ（エチレン酢酸ビニル）ゴム、スチレンゴム、ポリウレタン、エラストマなどの合成樹脂からなることが好ましい。又、絶縁チューブ２は、少なくとも保持部２１が透明に形成されることが好ましく、絶縁チューブ２を透明な管体で構成してもよい。
【００３０】
図４を参照すると、絶縁チューブ２の保持部２１の内径ｄは、ねじ７の頭部７ａで拡径可能に、ねじ７の頭部７ａの外径Ｄ１より僅かに小さく形成されていることが好ましい。ねじ７の頭部７ａの外径Ｄ１は、柄部１１の外径Ｄ２と略同じと考えられ、絶縁チューブ２の内径ｄは、柄部１１の外径Ｄ２より僅かに小さく形成されていることが好ましい。
【００３１】
［ドライバーの作用］
次に、実施形態によるドライバー１０の作用及び効果を説明する。図１から図４を参照すると、実施形態によるドライバー１０は、柄部１１を被覆する絶縁チューブ２を備え、絶縁チューブ２がねじ７の頭部７ａの外周を弾圧的に保持できる中空の保持部２１を有するので、制御盤などの内部でねじ７を外したときに、ねじ７を落下させることなく、ドライバー１０の先端部にねじ７を保持できる。
【００３２】
又、図４を参照すると、実施形態によるドライバー１０は、ドライバー１０の先端部にねじ７を保持した状態を維持できるので、ねじ７を外した箇所に、再びねじ７を回して固定することも容易である。実施形態によるドライバー１０は、ねじの再締結が多い点検作業に好適であり、点検作業が効率化される。
【００３３】
図１から図４を参照すると、実施形態によるドライバー１０は、絶縁チューブ２が弾性変形可能な中空の管体で構成されているので、柄部１１に弾性をもって密着でき、かつ、ねじ７の頭部７ａを弾性的に保持できる。
【００３４】
図１から図４を参照すると、実施形態によるドライバー１０は、少なくとも、絶縁チューブ２の保持部２１を透明に形成することが好ましく、ねじ７がドライバー１０の先端部に保持されていることを確認できる。
【００３５】
図４を参照すると、実施形態によるドライバー１０は、既存のドライバーに絶縁チューブ２を取り付けるだけで、その効果を得ることができ、ねじの呼び径に対応して、異なる外径Ｄ２の柄部１１を有する、複数のドライバー１０を用意しておくことが好ましい。
【００３６】
図１から図４を参照すると、実施形態によるドライバー１０は、柄部１１が磁力を有してもよく、柄部１１が磁力を有さなくてもよく、磁性をもたないステンレスねじをドライバーの先端部に保持しておくことができる。
【００３７】
［変形例によるドライバーの構成及び作用］
次に、本発明の変形例によるドライバーの構成及び作用を説明する。なお、以下の図面において、実施形態と同じ符号を使用する構成品は、その作用を同一とするので説明を割愛することがある。図５は、本発明の変形例によるドライバーの構成を示す斜視分解組立図である。
【００３８】
図５を参照すると、本発明の変形例によるドライバー２０は、その本体１が金属棒からなる柄部１１と絶縁性の把持部１２で構成されている。又、ドライバー２０は、柄部１１の先端部を除外して、本体１を絶縁被覆する被覆部１３を有している。更に、ドライバー２０は、柄部１１を被覆する絶縁チューブ２を備えている。
【００３９】
図５に示された、変形例によるドライバー２０は、実施形態によるドライバー１０を絶縁被覆したいわゆる、絶縁ドライバーを示している。このように、変形例によるドライバー２０は、既存の絶縁ドライバーに絶縁チューブ２を取り付けるだけで、実施形態によるドライバーと同じ効果を得ることができる。
【００４０】
実施形態によるドライバー１０は、柄部１１の基端部が把持部１２に固定された本体１を有する一般的なドライバーを開示したが、本発明の技術的思想を応用すれば、実施形態に限定されない。
【００４１】
本発明によるドライバーは、柄部１１が交換自在に把持部１２に着脱するように構成することもでき、絶縁チューブ２を取り付けたドライバビットを把持部１２に相当する電動工具に把持（チャック）するように構成することもできる。
【符号の説明】
【００４２】
２  絶縁チューブ
７  ねじ
７ａ  頭部
１０  ドライバー
１１  柄部
１１ａ  刃先
１２  把持部
２１  保持部
７１  係合溝
【図１】
2011194527.tif 000003
【図２】
2011194527.tif 000004
【図３】
2011194527.tif 000005
【図４】
2011194527.tif 000006
【図５】
2011194527.tif 000007